(57)【要約】      （修正有）【課題】装着が容易で、幼児等が睡眠中の寝返り等の動きに対し、ずり上がったり外れたりすることがなく、寝具を濡らすことを防止可能であり、幼児等の体形や成長に合わせて止着用ゴムの調整や取替ができるおねしょガードを提供する。【解決手段】裾部Ｄが解放されたスカート型であって、腰部に形成されたループ状の挿通部３０に挿通された止着用ゴム３０Ｇを備え、前記裾部Ｄの下方中央には前面部Ｆと後面部Ｂを接合するための止着具ＳＰが取り付けられている。スカート部の表生地は、ラミネート加工され、裏生地は吸水性を有する生地からなる。挿通部３０には、取替口３０Ｈが形成される。【選択図】図１
0003181312.tif 000002
【実用新案登録請求の範囲】
【請求項１】
裾部（Ｄ）が解放されたスカート型のおねしょガード（１００）であって、
腰部に形成されたループ状の挿通部（３０）に挿通された止着用ゴム（３０Ｇ）を備え、
前記裾部（Ｄ）の下方中央には前面部（Ｆ）と後面部Ｂ）を接合するための止着具（ＳＰ）が取り付けられている、ことを特徴とするおねしょガード（１００）。
【請求項２】
前記スカート部（Ｓ）は表生地（１０）と裏生地（２０）からなり、
前記表生地（１０）の内側はラミネート加工（１０Ｌ）され、裏生地（２０）は吸水性を有する生地からなる、ことを特徴とする請求項１に記載のおねしょガード（１００）。
【請求項３】
前記挿通部（３０）には止着用ゴム（３０Ｇ）を取り替えるための取替口（３０Ｈ）が形成されていることを特徴とする請求項１に記載のおねしょガード（１００）。
【考案の詳細な説明】
【技術分野】
【０００１】
本考案は、おねしょガードに係り、より詳しくは、装着が容易で、幼児等が睡眠中における寝返り等の動きに伴って、ずり上がったり外れたりすることがないおねしょガードに関する。
【背景技術】
【０００２】
おむつが不要となり、パジャマ等で寝るようになった幼児等は、睡眠中に寝返りを打ったり激しく動き回ると共に、おねしょすることがある。幼児等がおねしょしてその水分がパンツ外に漏れ出すことによって、母親は布団を天日乾ししたり、毛布やシーツ等は洗濯しなければならない。
【０００３】
上記のような不具合を解消するために、各種のおねしょ防止具が提案されている。例えば、特許文献１（第１頁、図１参照）、特許文献２（第１頁、図３参照）等が開示されている。特許文献１の「パジャマの上からはかせるズボン」は、本願における図４に示すように、ズボンタイプであり、おねしょシーツのやわらかい素材を１枚で作成し、表面にはビニール面が被覆されていると共に腰部にはゴム取りつけ部が縫着された構成となっている。また特許文献２「おむつカバー」の課題は、漏れを確実に防止することができ、しかも使用者にとって長時間身に着けていても不快感を伴うことなく安心して使用することができ、また介護用の場合は介護者によるおむつの交換が用意で介護負担の軽減を期すことのできるおむつカバーを提供することとし、その解決手段は、筒状胴部の下部に、左右の脚用筒部を有し、この脚用筒部は内側下縁に設けた面ファスナー等の着脱可能な固着具を有し、これら固着具間には内股開口部が形成されていて、この内股開口部は、一端が後胴側か前胴側のいずれか一方に固着され、他端が内股開口部を経て、前胴部か後胴部のいずれか他方に着脱可能に固着されるように構成した股部フラップにより覆われ、また前記筒状胴部を、前胴部にて観音扉状に開閉可能に構成したものである。  
【０００４】
上記の特許文献１は、ズボンタイプであるために、幼児等が睡眠中にこれを装着させるのは困難であり、表面のビニール面は、摩擦や洗濯等により劣化が早くなり、内面のやわらか生地は１枚であるために、水分が外部に滲み出るという欠点がある。また、幼児の成長に伴い、ゴム取りつけ部が窮屈になるという不具合もある。
特許文献２は、特許文献１と同様にズボンタイプであり、幼児や被介護者等への装着が困難という欠点がある。
【先行技術文献】
【特許文献】
【０００５】
【特許文献１】登録実用新案第３０８０８５３号公報
【特許文献１】特開２００７−２０２８４９号公報
【考案の概要】
【考案が解決しようとする課題】
【０００６】
本願出願人は、上記特許文献１及び特許文献２の欠点等を解消すべく鋭意検討を重ねて本考案を創案するに至った。そこで、本考案が解決しようとする課題は、以下の通りである。
○第１の課題は、装着が容易で、幼児等が睡眠中の寝返り等の動きに対し、ずり上がったり外れたりすることがないおねしょガードを提供することにある。
○第２の課題は、おねしょの水分が外方へ漏れ出てシーツ、毛布等の寝具を濡らすことを防止可能なおねしょガードを提供することにある。
○第３の課題は、幼児等の体形や成長に合わせて止着用ゴムの調整や取替ができるおねしょガードを提供することにある。
【課題を解決するための手段】
【０００７】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＊＊＊＊＊＊＊＊＊＊＊＊＊＊＊＊＊＊＊＊＊＊＊＊＊＊＊＊＊＊＊＊＊＊＊＊＜用語の説明＞
○おねしょガードとは、オムツ着用が不要となった幼児等が睡眠中におけるおねしょの水分が外部に漏れ出て、毛布、シーツや布団等の寝具が濡れるのを防止する裾部が解放されたスカートをいう。
○止着用ゴムとは、おねしょガードの上部に形成されたループ状の挿通部に挿通され、おねしょガードを腰部で固定するためのゴム紐をいう。
○止着具とは、おねしょガードの表生地と裏生地を接合、固定するための部材をいう。
例えば、アメリカンホックや面状ファスナーが好適に使用される。
○表生地とは、幼児が喜んで着用するような柄模様等をプリントした生地体で、裏面には防水目的のラミネート加工がなされている。
○裏生地とは、肌面にあたる生地体で、例えばパイル生地等の吸水性ある生地が使用される。
○取替口とは、幼児等の成長、体形等に適合するように長さを調整したり、新規のゴムに取り替えるための止着用ゴムの引き出し口をいう。
＊＊＊＊＊＊＊＊＊＊＊＊＊＊＊＊＊＊＊＊＊＊＊＊＊＊＊＊＊＊＊＊＊＊＊＊
＜課題を解決する手段＞
課題を解決するための手段は、本願の［実用新案登録請求の範囲］の各請求項に記載の考案であり、その具体的な解決手段は、以下の通りである。
○第１の考案（請求項１に記載の考案）
上記の課題を解決するための第１の考案（請求項１に記載の考案）は、裾部が解放されたスカート型のおねしょガードであって、腰部に形成されたループ状の挿通部に挿通された止着用ゴムを備え、前記裾部の下方中央には前面部と後面部を接合するための止着具が取り付けられている、ことを特徴とする、おねしょガードである。
○第２の考案（請求項２に記載の考案）
上記の課題を解決するための第２の考案（請求項２に記載の考案）は、
前記スカート部は表生地と裏生地からなり、前記表生地の内側はラミネート加工され、裏生地は吸水性を有する生地からなる、ことを特徴とする請求項１に記載のおねしょガードである。
○第３の考案（請求項３に記載の考案）
上記の課題を解決するための第３の考案（請求項３に記載の考案）は、
前記挿通部には止着用ゴムを取り替えるための取替口が形成されている、ことを特徴とする請求項１に記載のおねしょガードである。
【考案の効果】
【０００８】
本考案に係る考案は、上記のような特徴的構成要件から構成され、上記のような特徴的構成要件から構成されたおねしょガードによって、本願考案の課題を十分解消することができた。
●第１の考案の効果
第１の考案によれば、第１の考案の特徴的構成要件により、本考案が解決しようとする課題を解決することができた。
すなわち、装着が容易で、幼児等が睡眠中の寝返り等の動きに対し、ずり上がったり外れたりすることがないおねしょガードを提供することができ、当業者予測不可能な顕著な効果を奏することができた。
●第２の考案の効果
第２の考案によれば、第２の考案の特徴的構成要件により、本考案が解決しようとする課題を解決することができた。
すなわち、おねしょの水分が外方へ漏れ出てシーツ、毛布等の寝具を濡らすことを防止可能なおねしょガードを提供することができ、当業者予測不可能な顕著な効果を奏することができた。
●第３の考案の効果
第３の考案によれば、第３の考案の特徴的構成要件により、本考案が解決しようとする課題を解決することができた。
すなわち、幼児等の体形や成長に合わせて止着用ゴムの調整や取替ができるおねしょガードを提供することができ、当業者予測不可能な顕著な効果を奏することができた。
【考案を実施するための最良の形態】
【０００９】
以下、本考案に係る、おねしょガードに関する最良の実施形態について、図面を参照しながら説明する。
図１は、本考案の係る、おねしょガードの正面斜視図である。
図２は、図１における２−２線断面模式図である。
図３は、止着用ゴムを取り替えるための取替口を示す、図１におけるＡ部の拡大斜視図である。
図４は、従来例を示す斜視図である。
以下、本考案に係る、おねしょガードについて、図面を参照しながら説明する。
１１１１１＊＊＊＊＊＊＊＊＊＊＊＊＊＊＊＊＊＊＊＊＊＊＊＊＊＊＊＊＊＊＊
●本考案に係る、おねしょガード１００は、図１に示すように、裾部Ｄが解放されたスカート型である。腰部に形成されたループ状の挿通部３０には止着用ゴム３０Ｇが挿通されており、また裾部Ｄの下方中央には前面部Ｆと後面部Ｂを接合するための止着具ＳＰが取り付けられていることを特徴とするおねしょガード１００が開示されていいる（図１、参照）。
●上記の特徴的構成要件とすることにより、装着が容易で、幼児等が睡眠中の寝返り等の動きに対し、ずり上がったり外れたりすることがないおねしょガード１００を提供することができ、本考案が解決しようとする第１の課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊
●上記のおねしょガード１００において、スカート部Ｓは、表生地１０と裏生地２０からなり、表生地１０は、図１に示すような、幼児が喜んで着用するような柄模様Ｐ等をプリントした生地体で、当該表生地１０の内側はラミネート加工１０Ｌされ、裏生地２０は吸水性を有する生地、例えば、パイル生地等の吸水性ある生地が使用される（図１、図２参照）。ＳＰは止着具で、表生地１０と裏生地２０を接合して固定するもので、アメリカンホックや面状ファスナーが好適に使用される。
●上記の特徴的構成要件とすることにより、おねしょの水分が外方へ漏れ出てシーツ、毛布等の寝具を濡らすことを防止可能なおねしょガードを提供することができ、本考案が解決しようとする第２の課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊
●上記のおねしょガード１００において、前記挿通部３０には止着用ゴム３０Ｇを取り替えるための取替口３０Ｈが形成されている、ことを特徴とするおねしょガード１００が開示されている。止着用ゴム３０Ｇを緩めたり取り替えたりする際には、取替口３０Ｈより止着用ゴム３０Ｇを取り出して行うものである（図１、図３参照）。
●上記の特徴的構成要件とすることにより、幼児等の体形や成長に合わせて止着用ゴムの取り替えができるおねしょガードを提供することことができ、本考案が解決しようとする第３の課題を達成することができ、当業者予測不可能な顕著な効果を奏することができた。
【図面の簡単な説明】
【００１０】
【図１】は、本考案の係る、おねしょガードの正面斜視図である。
【図２】は、図１における２−２線断面模式図である。
【図３】は、止着用ゴムを取り替えるための取替口を示す、図１におけるＡ部の拡大斜視図である。
【図４】は、従来例を示す斜視図である。
【符号の説明】
【００１１】
１００…おねしょガード
Ｓ…スカート部
Ｄ…裾部
Ｆ…前面部
Ｂ…後面部
ＳＰ…止着具
１０…表生地
１０Ｌ…ラミネート加工
２０…裏生地
３０…挿通部
３０Ｇ…止着用ゴム
３０Ｈ…取替口
【図１】
0003181312.tif 000003
【図２】
0003181312.tif 000004
【図３】
0003181312.tif 000005
【図４】
0003181312.tif 000006